(57)【要約】【課題】皮膜抵抗器において回り止め機構を有する電極接点プローブと電極とを挟持するテーパ状のチャックを兼ねた電極による４接点構造により、抵抗値修正中に高精度な抵抗値測定が可能な皮膜抵抗器の抵抗値測定装置を提供することを目的とする。【解決手段】皮膜抵抗器１８を挟持するとともに、接点としての機能を持つチャック１とチャック１とは絶縁スリーブ２で絶縁されている電極接点プローブ３と、電極接点プローブ３とチャック１を同期して回転させるための回り止めホルダー４および回り止めブロック５と皮膜抵抗器１８に電極接点プローブ３を当接させるとともに回り止めブロック５と電極ピン７とを強固に締結する為の不等ピッチバネ６で構成する。【選択図】図１
2006086252.tif 000002
【特許請求の範囲】
【請求項１】
絶縁体に導電皮膜をコーティングし、両端から電極を圧入してなる皮膜抵抗器において、皮膜抵抗器を挟持するとともに接点を兼ねたチャックと、このチャックとはスリーブによって絶縁された抵抗値を測定するための電極接点プローブと、前記電極接点プローブを皮膜抵抗器の電極に当接させるバネを有し、皮膜抵抗器を挟持すると同時に４接点での抵抗値計測を可能とすることを特徴とする皮膜抵抗器の抵抗値測定装置。
【請求項２】
皮膜抵抗器の抵抗値を修正する溝切り加工を施す際、カッターを保持したスピンドルが回転中に皮膜抵抗器をチャックしているテーパ状のチャックと電極接点プローブとが同期して回転するようにテーパ状のチャックを兼ねた接点と電極接点プローブとの間に絶縁性の回り止め機構を有することを特徴とする請求項１記載の皮膜抵抗器の抵抗値測定装置。
【請求項３】
電極接点プローブを固定しているオネジ部を有するブロックと、抵抗値測定端子につながれたオネジ部を有するブロックとを、バネの両端の部分に前記オネジと同ピッチの区間を有する不等ピッチのバネで締結し、電気的に導通させる構造を特徴とする請求項１記載の皮膜抵抗器の抵抗値測定装置。
【発明の詳細な説明】
【技術分野】
【０００１】
本発明は、絶縁体に導電皮膜をコーティングなどにより形成した抵抗体本体に電極キャップを圧入してなる皮膜抵抗器を所望の抵抗値に修正する溝切り加工において、抵抗値修正中の抵抗値を測定する皮膜抵抗器の抵抗値測定装置に関するものである。
【背景技術】
【０００２】
従来のこの種の皮膜抵抗器の抵抗値測定装置について、図面を用いて説明する。
【０００３】
図７は、従来の抵抗値測定装置を示している。２２は、皮膜抵抗器を挟持する先端がテーパ部２２ａ形状のスピンドルチャック、２３は皮膜抵抗器の抵抗値を測定する接点となる摺動自在の中子、そして、２４は絶縁体でなるチャック中子ホルダーであり、チャック中子２３を絶縁するためのスピンドルチャック２２と中子２３の間にはめ合わされる。
【０００４】
２５は、皮膜抵抗器３１の端部にチャック中子２３の先端を当接するために付勢するバネ座２６で設定された圧縮バネ、２７は絶縁体チャック芯であり、バネ座２６を固定しチャック中子２３をスムーズに移動動作させるためにチャック中子ホルダー２４を挿入し装着している。２８は、スピンドルチャック２２を挿入して保持するチャックホルダー、２９は、チャックホルダー２８から先端部全体を電気的に絶縁している絶縁体でなるブッシュ、そして３０は、シャフトであり、ブッシュ２９を介してチャックホルダー２８に回転運動を伝達する。
【０００５】
３１は測定した抵抗値を計測器に伝送する中継となるシャフト３０の中空を挿通してチャック中子２３に接続するケーブル線、３２は回転しながら抵抗値測定が可能なシャフト３０を左右移動および回転させる駆動機構（図示せず）から構成されている。
【０００６】
以上のように構成された皮膜抵抗器の抵抗値測定装置について、以下にその方法を説明する。
【０００７】
図６に示すように、左右一対のシャフト３０の回転駆動により回転しているスピンドルチャック２２による皮膜抵抗器３１の保持は、まず最初にチャック中子２３が左、右に移動して皮膜抵抗器３１の両端に接触する。
【０００８】
さらに対のスピンドルチャック２２が移動前進して皮膜抵抗器３１の両端の外周をスピンドルチャック２２のテーパ部２２ａ内で挟持し保持した後、スピンドルチャック２２の回転で皮膜抵抗器３１を回転させ、スピンドル３３により固着かつ高速回転している溝切りカッター１９による皮膜抵抗器３１の皮膜抵抗体の溝切りを行う準備が整う。
【０００９】
この時チャック中子２３は圧縮バネ２５のバネ力に対して皮膜抵抗器３１の両端に接触したままの状態でスピンドルチャック２２の中に押しこまれる。そして、チャック中子２３の先端が接点となり、圧縮バネ２５、バネ座２６、ケーブル線３１およびロータリコネクタ３２を介して抵抗値を測定しながら、皮膜抵抗器３１の皮膜抵抗体の溝切りを所定抵抗値となるように行うように構成されたものである。
【００１０】
なお、この出願に関する先行技術文献情報としては、例えば、特許文献１が知られている。
【特許文献１】実開昭６０−６２０７号公報
【発明の開示】
【発明が解決しようとする課題】
【００１１】
しかしながら前記の従来の構成では、皮膜抵抗器３１をスピンドルチャック２２で挟持し保持して回転させることにより、チャック中子２３も同時に回転するため、チャック中子２３と圧縮バネ２５との接触部に、摩擦による磨耗や異物発生等の悪影響をもたらす。
【００１２】
また、従来の測定では２接点の構造のため、抵抗値測定の際、チャック中子とバネおよびバネと接点ブロックとの接触抵抗も考慮にいれなければならなかった。さらに、バネ力のみによる接触のため、抵抗値測定の安定性が問題であった。
【００１３】
本発明は、前記従来の課題を解決しようとするものであり、低抵抗領域でも高精度な溝切りなどを行うことが可能な皮膜抵抗器の抵抗値測定装置を提供することを目的とする。
【課題を解決するための手段】
【００１４】
上記目的を達成するために本発明は、以下の構成を有する。
【００１５】
本請求項１に記載の発明は、抵抗値を測定するためのチャックを兼ねた接点と、そのチャックを兼ねた接点とは電気的に絶縁しているスリーブと、そのスリーブ内を摺動できる電極接点プローブと、皮膜抵抗器で電極接点プローブを押しつけるバネから構成され、スピンドルシャフトの回転運動と直線移動により皮膜抵抗器の回転およびその本体の挟持と開放を行う構成としたものであり、皮膜抵抗器を安定して保持し、４接点構造により抵抗値修正の溝切り加工時において低抵抗領域でも高精度な抵抗値測定ができるという作用効果を有する。
【００１６】
請求項２に記載の発明は、チャックと一体となっているホルダーに凹型の回り止めホルダーを固定するとともに、電極接点プローブにも上記凹型の回り止めホルダーにはまり込む凸型形状を有する回り止めブロックにより、皮膜抵抗器を挟持する際に発生するチャックと電極接点プローブの回転の差を生じさせないという作用効果を有する。
【００１７】
請求項３に記載の発明は、電極接点プローブに固定されるブロックのオネジ部分と不等ピッチの両端部分に巻かれたオネジと同一ピッチのバネ部を締結させるとともに、もう一端のバネ部には電極ピンに切られたオネジ部を締結させることにより、皮膜抵抗器のチャック時にもバネが常に締結されていることから電気的に安定した導電性を有することができるという作用効果を有する。
【発明の効果】
【００１８】
本発明の皮膜抵抗器の抵抗値測定装置は、皮膜抵抗器の抵抗値修正中の抵抗値を低抵抗領域であっても４接点構造で測定することができ、また、皮膜抵抗器を挟持する際にも、電極接点プローブがスピンドルシャフト、チャックと同期して回転する機構となっていることから、抵抗値測定の際に生じるメカ的な不安定性を排除した構造とすることにより、低抵抗領域の溝切り加工時においても高精度な抵抗値測定が可能となる優れた効果を有する。
【発明を実施するための最良の形態】
【００１９】
（実施の形態１）
以下、実施の形態１を用いて、本発明の請求項１，２，３に記載の皮膜抵抗器の抵抗値測定装置について図面を用いて説明する。図２は、本発明の実施の形態１における皮膜抵抗器の抵抗値測定装置の斜視図である。図２において１８は皮膜抵抗器であり、スピンドルシャフト１２が回転しながら図の矢印方向（軸方向）に直線運動して皮膜抵抗器を挟持するとともに回転運動を与える。さらに高速回転しているカッター１９で皮膜抵抗器１８に切り込み、皮膜抵抗器の表面の導電皮膜部分を除去することにより所望の抵抗値を得るものである。さらに皮膜抵抗器の抵抗値測定装置について図１を用いて詳細を説明する。図１は抵抗値測定装置の要部概略図であり、１は、導電性を有する１ａのテーパを有するチャックである。チャック１はホルダー９と電気的に接続されており、かつホルダー９の表面は絶縁処理されており（図中の斜線部）、チャック１とホルダー９の接触部分およびホルダー９と電流端子取出しボルト８は電気的に接続されている。さらに、３は電極接点プローブであり、チャック１に固着している絶縁スリーブ２の中を摺動することができる。さらに電極接点プローブ２は、回り止めブロック５と締結されており、ホルダー９とは絶縁性を有する回り止めホルダー４で絶縁されている。電極接点プローブ３と電気的につながれている回り止めホルダー４にはオネジが切られており、不等ピッチバネ６の両端部分と回り止めホルダー４のオネジ部分を等しいピッチにすることにより、不等ピッチバネ６をねじ込むことにより強固に締結するとともに、電気的にも安定して導通させることが可能となっている。さらに電極ピン７のオネジ部分は不等ピッチバネ６のもう一端と、前述と同様に締結されており、電気的に導通している。電極ピン７は絶縁性を有するホルダー２０によって保持され、ホルダー２０は、ホルダー２０のオネジ部とホルダー９のメネジ部で締結されている。電極ピン７は電極ブロック２１を介して電圧端子取出しボルト１０につながれ、最終的に電極接点プローブと電圧端子取出しボルトは電気的につながっており、チャック１とは絶縁された構造となっている。
【００２０】
さらに図を用いて説明する。図３は、皮膜抵抗器の抵抗値測定装置の要部断面図であり、駆動伝達体１５からの動力を駆動体部１４を介して回転運動に変換し、駆動体部１４と固着したスピンドルシャフト１２を回転させる機構を有する。電流端子取出しボルト８および電圧端子取出しボルト１０からの電気信号は各々ケーブル１７を介してロータリコネクター１６によって取り出され、計測器へと送られる。
【００２１】
次に図４を用いて皮膜抵抗器の抵抗値測定装置の動作について説明する。図４（ア）に示すように、チャック１間に移送されてきた皮膜抵抗器１８に対して、チャック１はスピンドルシャフト１２の直動運動によって寄りついてくる。スピンドルシャフト１２は、駆動伝達体１５からの動力により回転運動しており、図４（イ）のように皮膜抵抗器１８と電極接点プローブ３がまず接触する。電極接点プローブ３は回り止めブロック５と固着しており、また、回り止めホルダー４はスピンドルシャフト１２と固着しているホルダー９に固着している。回り止めホルダー４および回り止めブロック５は各々図５に示すような形状をしており、図４中の静止している皮膜抵抗器に電極接点プローブ３が接触しても、電極接点プローブ３は回り止めホルダー４および回り止めブロック５を介して回転しつづけることができる。
【００２２】
さらにチャック１は寄りついてテーパ部１ａと皮膜抵抗器１８の電極のエッジ部で挟持した段階で図４（ウ）の示すようにチャックを完了する。この状態で、チャック１は、皮膜抵抗器１８に回転運動を与えるとともに、チャック１のエッジ部と電極接点プローブ３でそれぞれ独立した接点を持つことができ、回転運動しながら常に皮膜抵抗器１８の抵抗値をモニターすることが可能となる。この機構を用いて皮膜抵抗器１８に溝切り加工による抵抗値修正を施すことにより所望の抵抗値で溝切り加工を停止することができ、低抵抗領域においても高精度な溝切り加工が可能となる。
【００２３】
なお、チャック１を電圧モニターに使用し、電極接点プローブを電流のモニターに使用しても同様の効果が得られることは言うまでもない。
【００２４】
なお、カッター１９の代わりにレーザ等による溝切り加工でも同様に効果が得られることは言うまでもない。
【産業上の利用可能性】
【００２５】
本発明の皮膜抵抗器の抵抗値測定装置は、皮膜抵抗器の抵抗値修正中の抵抗値を低抵抗領域であっても４接点構造で測定することができ、また、皮膜抵抗器を挟持する際にも電極接点プローブがスピンドルシャフト、チャックと同期して回転する機構となっていることから、抵抗値測定の際に生じる機構的な不安定性を排除した構造とすることにより、低抵抗領域の溝切り加工時においても高精度な抵抗値測定が可能となる優れた効果を有し、あらゆる皮膜厚みの皮膜抵抗器に対し、その抵抗値修正中の抵抗値を測定する抵抗値測定装置などの用途に有用である。
【図面の簡単な説明】
【００２６】
【図１】本発明の一実施の形態における皮膜抵抗器の抵抗値測定装置の要部断面図
【図２】同皮膜抵抗器の抵抗値測定装置の斜視図
【図３】同皮膜抵抗器の抵抗値測定装置の要部断面図
【図４】（ア）〜（ウ）同皮膜抵抗器の保持動作概略図
【図５】同皮膜抵抗器の抵抗値測定装置保持部の斜視図
【図６】従来の溝切り時における皮膜抵抗器の挟持状態の要部斜視図
【図７】同皮膜抵抗器の抵抗値測定装置の要部断面図
【符号の説明】
【００２７】
１  チャック
２  絶縁スリーブ
３  電極接点プローブ
４  回り止めホルダー
５  回り止めブロック
６  不等ピッチバネ
７  電極ピン
８  電流端子取出しボルト
９  ホルダー
１０  電圧端子取出しボルト
１１  軸受け
１２  スピンドルシャフト
１３  軸受け
１４  駆動体部
１５  駆動伝達体
１６  ロータリコネクター
１７  ケーブル線
１８  皮膜抵抗器
１９  カッター
２０  ホルダー
２１  電極ブロック
２２  スピンドルチャック
２２ａ  テーパ部
２３  中子
２４  中子ホルダー
２５  圧縮バネ
２６  バネ座
２７  チャックホルダー
２８  絶縁体
２９  ブッシュ
３０  シャフト
３１  ケーブル線
３２  ロータリコネクター
３３  スピンドル
【図１】
2006086252.tif 000003
【図２】
2006086252.tif 000004
【図３】
2006086252.tif 000005
【図４】
2006086252.tif 000006
【図５】
2006086252.tif 000007
【図６】
2006086252.tif 000008
【図７】
2006086252.tif 000009